(57)【要約】【課題】陸屋根上の設備の設置の自由度が低下することを抑制することができる陸屋根の設備設置構造を得る。【解決手段】パラペット構造４０は、サイディング材４２、４３と、上フレーム材４４と、笠木部材４６と、挿通部４８とを有する。サイディング材４２、４３は、ユニット建物１０の陸屋根２２の外縁部２４で内外方向に間隔をあけて立設されている。上フレーム材４４は、サイディング材４２、４３を内外方向に連結する。笠木部材４６は、サイディング材４２、４３及び上フレーム材４４をユニット建物１０の高さ方向の上側から覆う。挿通部４８は、陸屋根２２に設置された太陽光パネルユニット３０に接続された配線３６をサイディング材４２と笠木部材４６との間からサイディング材４２、４３の間へ挿通させる。【選択図】図１
2018204313.tif 000002
【特許請求の範囲】
【請求項１】
建物の陸屋根の外縁部で該建物の内外方向に間隔をあけて立設された一組の壁材と、
前記一組の壁材を前記内外方向に連結する連結部材と、
前記一組の壁材及び前記連結部材を前記建物の高さ方向の上側から覆う笠木部材と、
前記陸屋根に設置された設備に接続された接続部材を前記壁材と前記笠木部材との間から前記一組の壁材の間へ挿通させる挿通部と、
を有する陸屋根の設備設置構造。
【請求項２】
前記連結部材は、前記高さ方向と前記内外方向とに直交する直交方向に延在され、
前記挿通部は、前記連結部材に前記直交方向に間隔をあけて複数形成されている請求項１に記載の陸屋根の設備設置構造。
【請求項３】
前記壁材と前記笠木部材との間には、前記接続部材と接触すると共に液体の浸入を制限する制限部材が設けられている請求項１又は請求項２に記載の陸屋根の設備設置構造。
【発明の詳細な説明】
【技術分野】
【０００１】
本発明は、陸屋根の設備設置構造に関する。
【背景技術】
【０００２】
特許文献１の屋上の防水構造では、屋上床に設置された集光器の光ファイバーケーブルが、屋上床に固定された筒状体の内部に挿通され、屋内へ向けて配設されている。
【先行技術文献】
【特許文献】
【０００３】
【特許文献１】特許第４３２２２３４号
【発明の概要】
【発明が解決しようとする課題】
【０００４】
上記技術では、陸屋根上の設備の配線が陸屋根に設けられた構造体を通して建物の屋内に引込まれる構造となっている。ここで、陸屋根上で利用可能な空間の大きさは限られている。このため、陸屋根上で設備と構造体とを別々の場所に設ける場合には、空間の一部が構造体の設置に利用されることで設備の利用可能な空間が小さくなり、設備の設置の自由度が低下する。また、構造体の上に設備を設ける場合には、設備が上方へ突出されることで建物としての見栄えが損なわれるので、建物の外部から見え難くなる場所に設備を配置しなくてはならず、設備の設置の自由度が低下する。つまり、陸屋根上の設備の設置の自由度が低下することを抑制するには、改善の余地がある。
【０００５】
本発明は、陸屋根上の設備の設置の自由度が低下することを抑制することができる陸屋根の設備設置構造を得ることが目的である。
【課題を解決するための手段】
【０００６】
第１態様に係る陸屋根の設備設置構造は、建物の陸屋根の外縁部で該建物の内外方向に間隔をあけて立設された一組の壁材と、前記一組の壁材を前記内外方向に連結する連結部材と、前記一組の壁材及び前記連結部材を前記建物の高さ方向の上側から覆う笠木部材と、前記陸屋根に設置された設備に接続された接続部材を前記壁材と前記笠木部材との間から前記一組の壁材の間へ挿通させる挿通部と、を有する。
【０００７】
第１態様に係る陸屋根の設備設置構造では、陸屋根上に設置された設備に接続された接続部材が、陸屋根の外縁部に立設された壁材に向けて延ばされ、挿通部を通って一組の壁材の間に挿通される。これにより、陸屋根上に設備以外の構造体を設けずに済み、設備の配置可能な空間が小さくなることが抑制されると共に設備が陸屋根から上方へ突出することが抑制されるので、陸屋根上の設備の設置の自由度が低下することを抑制することができる。
【０００８】
第２態様に係る陸屋根の設備設置構造の前記連結部材は、前記高さ方向と前記内外方向とに直交する直交方向に延在され、前記挿通部は、前記連結部材に前記直交方向に間隔をあけて複数形成されている。
【０００９】
第２態様に係る陸屋根の設備設置構造では、連結部材の延在方向に挿通部が複数形成されている。このため、設備から一の挿通部までの接続部材の長さと、設備から他の挿通部までの接続部材の長さとを比較して、いずれか短い方を選択することができるので、接続部材の長さが長くなることを抑制することができる。
【００１０】
第３態様に係る陸屋根の設備設置構造の前記壁材と前記笠木部材との間には、前記接続部材と接触すると共に液体の浸入を制限する制限部材が設けられている。
【００１１】
第３態様に係る陸屋根の設備設置構造では、制限部材が挿通部に対して上流側に位置する壁材と笠木部材との間への液体の浸入を制限するので、液体が挿通部を通って屋内に浸入するのを抑制することができる。
【発明の効果】
【００１２】
以上説明したように、本発明に係る陸屋根の設備設置構造では、陸屋根上の設備の設置の自由度が低下することを抑制することができる。
【図面の簡単な説明】
【００１３】
【図１】本実施形態に係るユニット建物を模式的に示した構成図である。
【図２】本実施形態に係るパラペット構造の縦断面図である。
【図３】本実施形態に係る陸屋根上の太陽光パネルユニットの配置を示す説明図である。
【図４】本実施形態に係るパラペット構造の一部を分解した斜視図である。
【図５】本実施形態の変形例に係るパラペット構造の縦断面図である。
【発明を実施するための形態】
【００１４】
本実施形態に係る陸屋根の設備設置構造の一例について説明する。
【００１５】
〔全体構成〕
図１には、本実施形態の建物の一例としてのユニット建物１０の一部が示されている。ユニット建物１０は、一例として、二階建てとされている。以後の説明では、ユニット建物１０の桁方向をＹ方向、妻方向をＸ方向、高さ方向をＺ方向と称する。Ｘ方向、Ｙ方向及びＺ方向は、互いに直交する。Ｘ方向及びＹ方向は、ユニット建物１０の内外方向の一例である。
【００１６】
図２に示すユニット建物１０は、床梁１４、天井梁１６及び図示しない柱を含んで構成される建物ユニット１２を、図示しない基礎上に複数組み上げることで構築されている。ユニット建物１０の最上部には、屋根部２０が設けられている。屋根部２０は、Ｘ方向及びＹ方向に沿った略水平の陸屋根２２と、陸屋根２２の外縁部２４に設けられたパラペット構造４０とを有する。パラペット構造４０は、陸屋根の設備設置構造の一例である。なお、陸屋根２２におけるパラペット構造４０側の端部には、水等の液体が流れ込む溝部１９が形成されている。
【００１７】
陸屋根２２は、既述の床梁１４と、床梁１４の上面に取付けられた床板１８と、床板１８の上面に載置された断熱材２６と、断熱材２６の上面を覆う防水シート２８とを含んで構成されている。床梁１４の外側面には、床梁１４からＺ方向に沿って上側に延びる縦フレーム１５が取付けられている。縦フレーム１５は、Ｙ方向に間隔をあけて複数取付けられている。また、陸屋根２２上には、陸屋根２２に設置された設備の一例としての太陽光パネルユニット３０（図１参照）が設けられている。
【００１８】
＜太陽光パネルユニット＞
図１に示す太陽光パネルユニット３０は、一例として、ユニット本体３２と、ユニット本体３２を陸屋根２２上に取付けるための架台３４と、ユニット本体３２に接続された接続部材の一例としての配線３６とを有する。
【００１９】
図３に示すように、１つのユニット本体３２は、一例として、Ｘ方向及びＹ方向にそれぞれ３枚並べられた合計９枚の太陽光パネル３３を有する。太陽光パネル３３は、Ｚ方向から見た場合に、Ｘ方向を長手方向としＹ方向を短手方向とする矩形状に形成されている。なお、陸屋根２２上には、Ｘ方向及びＹ方向にそれぞれ複数の太陽光パネルユニット３０が並べられている。
【００２０】
図１に示すように、架台３４は、ユニット本体３２をＺ方向の下側から支持している。これにより、ユニット本体３２と陸屋根２２の上面との間には空間部３８が形成されている。
【００２１】
配線３６は、一例として、ユニット本体３２のＸ方向及びＹ方向の中央部に接続されており、該中央部から空間部３８を通って外側（パラペット構造４０側）へ延ばされている。配線３６の長さは、Ｚ方向から見た場合にユニット本体３２の中央から後述するパラペット構造４０までの最も短い長さよりも長い。本実施形態では、一例として、複数の配線３６がコネクタ３９を用いて接続されることにより、配線３６が延長されている。
【００２２】
〔要部構成〕
次に、パラペット構造４０について説明する。
【００２３】
図２に示すパラペット構造４０は、一組の壁材の一例としてのサイディング材４２、４３と、連結部材の一例としての上フレーム材４４と、笠木部材４６と、挿通部４８と、制限部材の一例としてのゴム材５２とを有する。
【００２４】
図３に示すように、パラペット構造４０は、陸屋根２２上の外縁部２４において、Ｚ方向から見た場合に（平面視で）Ｙ方向に延在された部位とＸ方向に延在された部位とが繋がった形状（四角枠状）に形成されている。Ｙ方向に延在するパラペット構造４０とＸ方向に延在するパラペット構造４０とは、同様の構造とされている。このため、基本的な構成については、Ｙ方向に延在するパラペット構造４０を用いて説明し、Ｘ方向に延在するパラペット構造４０の説明を省略する。
【００２５】
なお、図示は省略するが、陸屋根２２のＸ方向中央でかつＹ方向の中央となる位置を中央位置と称する。また、中央位置を通りＸ方向又はＹ方向に沿った直線と、ユニット建物１０の外周との交点となる位置を外端位置と称する。ここで、陸屋根２２の外縁部２４とは、中央位置と外端位置とを結ぶ線分において、該線分の中央よりも外端位置側となる範囲をＸ方向及びＹ方向に延ばした場合に、この範囲内に含まれる部位を意味する。
【００２６】
＜サイディング材＞
図２に示すサイディング材４２、４３は、それぞれ平板状に形成されている。サイディング材４２は、縦フレーム１５のＸ方向の内側面にＸ方向を板厚方向として取付けられている。サイディング材４３は、縦フレーム１５のＸ方向の外側面にＸ方向を板厚方向として取付けられている。サイディング材４２のＺ方向の高さは、サイディング材４３のＺ方向の高さよりも低い。なお、サイディング材４２のＺ方向の上端と、サイディング材４３のＺ方向の上端とは、高さが揃えられている。サイディング材４２の内側面には、防水シート２８が取付けられている。
【００２７】
このように、サイディング材４２とサイディング材４３とは、縦フレーム１５に取付けられることにより、陸屋根２２の外縁部２４でＸ方向に間隔をあけて立設されている。以後の説明では、サイディング材４２とサイディング材４３との間の空間部を中空部５４と称する。中空部５４には、既述の配線３６がＺ方向に挿通されている。
【００２８】
＜上フレーム材＞
上フレーム材４４は、サイディング材４２とサイディング材４３とをＸ方向に連結している。言い換えると、上フレーム材４４は、サイディング材４２の上端部とサイディング材４３の上端部との間をＺ方向の上側から覆っている。上フレーム材４４は、一例として、Ｙ方向から見た場合の断面形状が略Ｕ字状のチャンネル鋼で構成されており、Ｙ方向に延在されている。
【００２９】
図３に示すように、上フレーム材４４は、Ｚ方向から見た場合にＹ方向を長手方向としＸ方向を短手方向とする矩形板状の平坦部４４Ａを有する。平坦部４４Ａには、後述する挿通部４８がＹ方向に間隔をあけて形成されている。図２に示す平坦部４４Ａの挿通部４８を除く部位（Ｙ方向にずれた部位）には、後述する笠木部材４６を固定するための笠木留金具５６が、図示しないビスにより取付けられている。
【００３０】
＜笠木部材＞
笠木部材４６は、笠木留金具５６に取付けられることで、サイディング材４２、サイディング材４３及び上フレーム材４４をＺ方向の上側から覆っている。具体的には、笠木部材４６は、Ｙ方向から見た場合に、Ｘ方向に間隔をあけて配置されＺ方向に直立する側壁４６Ａ、４６Ｂと、側壁４６Ａの上端と側壁４６Ｂの上端とを繋ぐ傾斜壁４６Ｃとを有する。側壁４６Ａは、サイディング材４２とＸ方向に対向している。側壁４６Ｂは、サイディング材４３とＸ方向に対向している。
【００３１】
側壁４６Ａのサイディング材４２と対向する側の側面には、後述するゴム材５２が固定されている。一方、側壁４６Ｂのサイディング材４３と対向する側の側面には、ゴム製のシール材５８が取付けられている。傾斜壁４６Ｃには、笠木留金具５６と係合する係合部４６Ｄが設けられている。
【００３２】
＜挿通部＞
図２に示す挿通部４８は、一例として、平坦部４４ＡをＺ方向に貫通する貫通孔６２を有する。貫通孔６２は、一例として、Ｚ方向から見た場合に円形状に形成されている。また、貫通孔６２の直径は、配線３６の直径に対して大径とされている。このように、挿通部４８は、配線３６をＺ方向に挿通可能に形成されている。そして、配線３６は、挿通部４８に挿通されることで、サイディング材４２と笠木部材４６との間からサイディング材４２とサイディング材４３との間へ挿通されている。
【００３３】
図３に示すように、挿通部４８は、上フレーム材４４にＹ方向に間隔をあけて複数形成されている。ここで、１つの太陽光パネルユニット３０に着目して、この太陽光パネルユニット３０の配線３６が接続された位置を点Ａとする。また、この太陽光パネルユニット３０に近い場所に位置する上フレーム材４４において、２つの挿通部４８に着目して、一方の挿通部４８の中央位置を点Ｂとし、他方の挿通部４８の中央位置を点Ｃとする。
【００３４】
図３では、線分ＡＢの長さが線分ＡＣの長さよりも短くなっている。そして、配線３６は、点Ｂ側の挿通部４８に挿通されている。つまり、配線３６は、太陽光パネルユニット３０に対して最も近い場所にある挿通部４８に挿通されている。なお、太陽光パネルユニット３０に対して、Ｙ方向に延在されている上フレーム材４４よりも、Ｘ方向に延在されている上フレーム材４４の方が近い場合には、Ｘ方向に延在されている上フレーム材４４の挿通部４８に配線３６が挿通される。
【００３５】
＜ゴム材＞
図２に示すゴム材５２は、一例として、Ｙ方向に延在する直方体状に形成されている。また、ゴム材５２は、一例として、ＥＰＤＭゴム（エチレンプロピレンジエンゴム）を主成分としてスポンジ状に形成されている。ゴム材５２をＹ方向から見た場合に、ゴム材５２のＸ方向の長さは、側壁４６Ａとサイディング材４２との間隔の長さとほぼ同じとされている。ゴム材５２のＸ方向における一方側の側面は、図示しない接着剤を用いて側壁４６Ａに固定されている。これにより、配線３６を挿通部４８に挿通した後で笠木部材４６が笠木留金具５６に取付けたられときに、サイディング材４２と笠木部材４６との間にゴム材５２が設けられる（配置される）ようになっている。
【００３６】
ゴム材５２は、笠木部材４６が笠木留金具５６に取付けられることで、配線３６又はサイディング材４２と接触してＸ方向に圧縮状態とされる。これにより、ゴム材５２は、サイディング材４２と笠木部材４６との間への水等の液体の浸入を制限するようになっている。なお、配線３６のコネクタ３９は、一例として、ゴム材５２に対してＺ方向の下側に配置されている。また、配線３６の一部は、サイディング材４２及び防水シート２８にＸ方向の内側（ユニット建物１０の中央側）から接触した状態で、Ｚ方向に沿って延びている。
【００３７】
図１に示すように、サイディング材４２とサイディング材４３との間に挿通された配線３６は、一例として、ユニット建物１０の１階部分の外壁１３に設けられた制御ユニット６０に接続されている。
【００３８】
制御ユニット６０は、直流を交流に変換する図示しないパワーコンディショナと、パワーコンディショナで交流に変換された電力を分配する図示しない分電盤とを含んで構成されている。そして、制御ユニット６０は、太陽光パネルユニット３０から供給された電力を、分電盤を介してユニット建物１０の屋内の各部に供給するように構成されている。
【００３９】
〔作用〕
次に、本実施形態のパラペット構造４０の作用について説明する。
【００４０】
図４に示すように、陸屋根２２が構築されると共にサイディング材４２とサイディング材４３とが上フレーム材４４で連結される。そして、陸屋根２２上に架台３４が固定され、架台３４に太陽光パネルユニット３０が取付けられる。このときに、太陽光パネルユニット３０の配線３６が、太陽光パネルユニット３０に対して最も近い場所にあるサイディング材４２及び挿通部４８に向けて延ばされる。
【００４１】
配線３６は、必要に応じてコネクタ３９を用いて他の配線３６に接続され延長される。さらに、配線３６は、挿通部４８を通ってサイディング材４２とサイディング材４３との間に挿通される。そして、配線３６は、制御ユニット６０（図１参照）に接続される。配線３６が挿通部４８に挿通された後で、笠木留金具５６と係合部４６Ｄとが係合されることで笠木部材４６が取付けられる。このときに、ゴム材５２と配線３６とが接触すると共に、サイディング材４２と笠木部材４６の側壁４６Ａとの間にゴム材５２が配置され、パラペット構造４０が完成する。
【００４２】
このように、パラペット構造４０では、陸屋根２２上の太陽光パネルユニット３０に接続された配線３６が、外縁部２４に立設されたサイディング材４２に向けて延ばされ、挿通部４８を通って、サイディング材４２とサイディング材４３との間に挿通される。これにより、配線３６をユニット建物１０の屋内に引込む場合に、陸屋根２２上に太陽光パネルユニット３０以外の引込み用の構造体を設けずに済む。
【００４３】
そして、陸屋根２２上に他の構造体を設けずに済むことにより、陸屋根２２上における太陽光パネルユニット３０の配置可能な空間が小さくなることを抑制することができる。さらに、陸屋根２２上に他の構造体を設けずに済むことにより、他の構造体の上側に太陽光パネルユニット３０を配置しなくて済むので、太陽光パネルユニット３０が陸屋根２２から上方へ突出することが抑制される。これらの理由により、パラペット構造４０では、配線３６の引込み用として他の構造体を設ける構成に比べて、陸屋根２２上の太陽光パネルユニット３０の設置の自由度が低下することを抑制することができる。
【００４４】
加えて、パラペット構造４０では、それぞれの太陽光パネルユニット３０の配線３６が、１箇所に集約されずに、最も近い場所の挿通部４８に挿通されている。これにより、それぞれの太陽光パネルユニット３０の配線３６が１箇所に集約される構成に比べて、１つの太陽光パネルユニット３０に対して必要とされる配線３６の長さを短くすることができる。
【００４５】
また、図３に示すパラペット構造４０では、上フレーム材４４の延在方向に挿通部４８が複数形成されている。このため、太陽光パネルユニット３０から一の挿通部４８までの配線３６の長さと、太陽光パネルユニット３０から他の挿通部４８までの配線３６の長さとを比較して、いずれか短い方を選択することができる。これにより、挿通部４８が１箇所のみに形成された構成に比べて、配線３６の長さが長くなることを抑制することができる。
【００４６】
さらに、図２に示すパラペット構造４０では、ゴム材５２が、配線３６の引回し方向における挿通部４８に対して上流側に位置するサイディング材４２と笠木部材４６との間への液体（例えば水）の浸入を制限する。つまり、陸屋根２２上から挿通部４８に向かう液体が、ゴム材５２によって制限されるので、液体が挿通部４８を通って屋内に浸入するのを抑制することができる。
【００４７】
なお、本発明は上記の実施形態に限定されない。
【００４８】
＜変形例＞
図５には、変形例（陸屋根の設備設置構造の一例）として、パラペット構造７０が示されている。パラペット構造７０は、パラペット構造４０（図２参照）において、ゴム材５２（図２参照）に換えて、制限部材の一例としての水切材７２と、シーリングゴム７６とが設けられた構成とされている。なお、パラペット構造４０と同様の部材及び部位については、パラペット構造４０と同一の符号を用いて説明を省略する。
【００４９】
水切材７２は、Ｙ方向から見た場合に、一例として、底壁７２Ａと、内側壁７２Ｂと、外側壁７２Ｃと、傾斜壁７２Ｄと、上壁７２Ｅとを含んで構成されている。底壁７２Ａは、Ｘ方向及びＹ方向に沿うと共にＹ方向に延在された矩形板状に形成されている。また、底壁７２Ａには、Ｚ方向に貫通した貫通孔７３が形成されている。内側壁７２Ｂは、底壁７２ＡにおけるＸ方向のサイディング材４２側の端部にＺ方向に沿って立設されている。
【００５０】
外側壁７２Ｃは、底壁７２ＡにおけるＸ方向の笠木部材４６側の端部にＺ方向に沿って立設され、内側壁７２ＢとＸ方向に対向している。外側壁７２Ｃの下端部は、笠木部材４６に形成された係合部４７と係合されるようになっている。傾斜壁７２Ｄは、外側壁７２Ｃの上部から内側壁７２Ｂに向けて、内側壁７２Ｂ側の端部が外側壁７２Ｃ側の端部よりも下側に位置するように傾斜されている。
【００５１】
上壁７２Ｅは、Ｘ方向及びＹ方向に沿うと共にＹ方向に延在された矩形板状に形成されている。また、上壁７２Ｅは、底壁７２ＡとＺ方向に対向している。さらに、上壁７２Ｅには、Ｚ方向に貫通した貫通孔７４が形成されている。貫通孔７３と貫通孔７４とは、Ｚ方向に並んでいる。また、貫通孔７３と貫通孔７４との間には、傾斜壁７２Ｄが位置している。
【００５２】
水切材７２では、貫通孔７３から流入した外気が、傾斜壁７２Ｄの先端側を回り込んで略Ｓ字状に流れ、貫通孔７４を通って笠木部材４６と挿通部４８との間へ流れるようになっている。また、水切材７２では、水等の液体が貫通孔７３から内部へ浸入しようとした場合に、液体が傾斜壁７２Ｄと接触することによって、上方への液体の移動が制限されるようになっている。
【００５３】
パラペット構造７０は、笠木留金具５６に笠木部材４６が係合された（組付けられた）状態で、ユニット建物１０が構築される現場へ搬送される。また、パラペット構造７０では、配線３６のうち笠木部材４６から屋内までの部分が、貫通孔７３から貫通孔７４まで略Ｓ字状に水切材７２内を挿通され、挿通部４８を通ってサイディング材４２とサイディング材４３との間に挿通されている。そして、サイディング材４２とサイディング材４３との間に予め挿通されている配線３６に、コネクタ３９を介して、太陽光パネルユニット３０の配線３６が接続されるようになっている。なお、図５では、配線３６を分かり易くするために水切材７２と配線３６とが非接触状態で示されているが、実際は、水切材７２と配線３６の一部とが接触している。
【００５４】
パラペット構造７０では、太陽光パネルユニット３０の配線３６が、サイディング材４２に向けて延ばされ、水切材７２内を挿通されると共に挿通部４８を通って、サイディング材４２とサイディング材４３との間に挿通される。これにより、配線３６をユニット建物１０の屋内に引込む場合に、陸屋根２２上に太陽光パネルユニット３０以外の引込み用の構造体を設けずに済むので、太陽光パネルユニット３０の配置可能な空間が小さくなることを抑制することができる。さらに、他の構造体の上側に太陽光パネルユニット３０を配置しなくて済むので、太陽光パネルユニット３０が陸屋根２２から上方へ突出することが抑制される。このように、パラペット構造７０では、配線３６の引込み用として他の構造体を設ける構成に比べて、陸屋根２２上の太陽光パネルユニット３０の設置の自由度が低下することを抑制することができる。
【００５５】
また、パラペット構造７０では、水切材７２が、挿通部４８へ向かう液体（例えば水）の浸入を制限するので、液体が挿通部４８を通って屋内に浸入するのを抑制することができる。水切材７２では、貫通孔７３及び貫通孔７４が形成されていることによって、挿通部４８の通気性を確保することができる。
【００５６】
＜他の変形例＞
建物は、ユニット建物１０に限らず、鉄骨軸組み工法により構築された建物であってもよい。
【００５７】
設備は、太陽光パネルユニット３０に限らず、例えば、エアコンの室外機であってもよい。
【００５８】
接続部材は、１本の配線３６に限らず、複数本の配線であってもよい。また、接続部材は、配線３６に限らず、内部を気体や液体が移動する管状部材（配管）であってもよい。さらに、接続部材は、配線及び配管で構成されていてもよい。配線３６は、コネクタ３９によって延長されたものに限らず、１本の長い配線であってもよい。
【００５９】
挿通部４８は、貫通孔６２のように上フレーム材４４に形成されたものに限らず、Ｙ方向、Ｘ方向に並んだ隣り合う上フレーム材４４の間の空間部で構成されていてもよい。また、挿通部４８は、上フレーム材４４とは異なる筒状の部材で構成されていてもよい。貫通孔６２は、Ｚ方向から見た場合の形状が円形のものに限らず、楕円形、多角形のものであってもよい。
【００６０】
パラペット構造４０、７０において、挿通部４８は１箇所のみであってもよい。さらに、パラペット構造４０、７０において、ゴム材５２、水切材７２が設けられていない構成とされていてもよい。
【符号の説明】
【００６１】
１０  ユニット建物（建物の一例）
２２  陸屋根
２４  外縁部
３０  太陽光パネルユニット（設備の一例）
３６  配線（接続部材の一例）
４０  パラペット構造（陸屋根の設備設置構造の一例）
４２  サイディング材（一組の壁材の一例）
４３  サイディング材（一組の壁材の一例）
４４  上フレーム材（連結部材の一例）
４６  笠木部材
４８  挿通部
５２  ゴム材（制限部材の一例）
７０  パラペット構造
７２  水切材（制限部材の一例）
【図１】
2018204313.tif 000003
【図２】
2018204313.tif 000004
【図３】
2018204313.tif 000005
【図４】
2018204313.tif 000006
【図５】
2018204313.tif 000007